(57)【要約】【課題】内箱の無い簡素な構造であって、外箱を形成する板材を薄くして、該板材が弾性変形して反ったり波打ったりしようとする場合であっても、断熱材と仕切板との間に隙間が生じない自動販売機を得ることを目的とする。【解決手段】外箱１０を形成する背面板２２の内面に板状の支持部材７２が設置され、支持部７２材の内面が背面断熱材３２の外面に当接している。そして、背面板２２は外面側に突出する略弓状に弾性変形して、支持部材７２を介して背面断熱材３２の内面を仕切板５０ａｂ、５０ｂｃの背面側端面に押圧しているから、商品収納庫６０ａ、６０ｂ間で空気の行き来がなく、気密性が保証され、冷却効率や加熱効率が低下することがない。【選択図】        図１
2005352605.tif 000002
【特許請求の範囲】
【請求項１】
内面に沿って断熱材が配置され、一面に開口部を具備する外箱と、
該外箱を複数の商品収納庫に分割する仕切板と、
前記商品収納庫のそれぞれに対応する商品搬出口を具備し、前記開口部を開閉する断熱扉と、
前記商品収納庫のそれぞれに配置され、商品を収納して順次下方に搬出する機能を有する商品ラックと、
前記商品ラックから落下した商品を前記商品搬出口に誘導する商品誘導手段と、
該商品誘導手段の下方に配置されて空気を冷却する冷却手段または加熱する加熱手段の一方または両方を具備する熱交換手段と、
該熱交換手段を通過する空気の流れを形成する送風手段とを有し、
前記外箱の内面に板状の支持部材が設置され、該支持部材の内面が前記断熱材の外面に当接していることを特徴とする自動販売機。
【請求項２】
前記断熱材の内面が、前記支持部材によって前記仕切板の端面に押圧されていることを特徴とする請求項１記載の自動販売機。
【発明の詳細な説明】
【技術分野】
【０００１】
本発明は、缶、ビン、パック、ペットボトル等の容器に入れた飲料等の商品を冷却、もしくは加熱して販売に供する自動販売機に関する。
【背景技術】
【０００２】
（自動販売機）
図４〜６は、それぞれ従来の自動販売機の構成を示すものであって、図４は側面視の断面図、図５は正面視の断面図、図６は冷却ユニットの構成図である。
図４および図５において、自動販売機９００は、一面（前面）に開口部を具備する外箱２０と、外箱２０の内面に沿って配置された断熱材３０と、外箱２０の前記開口部を開閉する断熱扉４０と、仕切板５０ａｂ、５０ｂｃによって仕切られた商品収納庫６０ａ、６０ｂ、６０ｃとを有している。
なお、以下の説明において、各部位を示す番号の内アルファベットａ、ｂまたはｃはそれぞれ商品収納庫６０ａ、６０ｂまたは６０ｂに配置されたものであること、および部位を示す番号にアルファベットが付記されていないものは、配置位置にかかわらず同じ内容であることを示す。また、各図において同じ部分または相当する部分にはこれと同じ符号を付し、一部説明を省略する。
【０００３】
（商品収納庫）
商品収納庫６０には、商品を収納して順次下方に移送する商品収納装置６１と、商品収納装置６１から落下した商品を商品搬送口６３（断熱扉４０を貫通する開口部として設けられている）に向けて搬送する商品搬送装置６２（以下、シュータと称す）と、シュータ６２の下方に配置された蒸発器５およびヒータ８およびファン９と、商品収納装置６１の内部を経由して蒸発器５に向けて商品収納庫６０内の空気を循環するための吸気ダクト６４とが設置されている。
【０００４】
すなわち、たとえば商品収納庫６０ａにおいて蒸発器５ａを作動した場合には、蒸発器５ａにおいて冷却された空気はファン９ａによって送られ、シュータ６２ａに設けられた通気用孔や通気用隙間（図示しない）から上方に吹き出し、商品収納装置６１ａに収容された商品に衝突してこれを冷却し、その後、吸気ダクト６４ａの吸気口（図示しない）から吸気ダクト６４ａに吸引され、吸気ダクト６４ａの排気口（図示しない）から蒸発器５ａに吸い込まれる。かかる風の流れを矢印にて模式的に表示する。
【０００５】
一方、たとえば商品収納庫６０ｃにおいてヒータ８ｃを作動した場合には、ヒータ８ｃにおいて加熱された空気はファン９ｃによって送られ、シュータ６２ｃに設けられて通気用孔や通気用隙間（図示しない）から上方に吹き出し、商品収納装置６１ｃに収容された商品に衝突してこれを加熱し、その後、吸気ダクト６４ｃの吸気口（図示しない）から吸気ダクト６４ｃに吸引され、吸気ダクト６４ｃの排気口（図示しない）からヒータ８ｃに吸い込まれる。かかる風の流れを矢印にて模式的に表示する。
【０００６】
（冷却ユニット）
図６において、冷却ユニット１０は、商品収納庫６０ａ、６０ｂ、６０ｃの外部に配置されたアキュムレータ６と圧縮器１と凝縮器２とが冷媒配管７によって直列接合されている。そして、冷媒配管７は、凝縮器２の下流で冷媒配管７ａ、７ｂ、７ｃに分岐して、それぞれ商品収納庫６０ａ、６０ｂ、６０ｃ（蒸発器５ａ、５ｂ、５ｃに同じ）に導かれ、さらに、商品収納庫６０ａ、６０ｂ、６０ｃを出た後はアキュムレータ６の上流で再度冷媒配管７に統合されている。
【０００７】
図６に基づいて冷却ユニット１０の動作を説明する。圧縮器１から送り出された冷媒は、冷媒配管７内を流れ、凝縮器２で放熱されて凝縮する。その後、分岐した冷媒配管７ａ、７ｂ、７ｃにそれぞれ設置された電磁弁３ａ、３ｂ、３ｃの開閉によって所定の商品収納庫６０ａ、６０ｂ、６０ｃに分配・供給される。
そして、冷媒を分配するための電磁弁３ａ、３ｂ、３ｃと冷媒を膨張させるためのキャピラリチューブ４ａ、４ｂ、４ｃと各商品収納庫内空気を冷却するための蒸発器５ａ、５ｂ、５ｃとが、それぞれ冷媒配管７ａ、７ｂ、７ｃによって直列接合されている。
さらに、蒸発器５ａ、５ｂ、５ｃにおいて吸熱（熱交換）した冷媒は、冷媒配管７に統合され、気液分離のためのアキュムレータ６を通って圧縮器１に戻っている。
【０００８】
このような構成の冷却ユニット１０を有する自動販売機９００は、商品収納庫６０ａ、６０ｂ、６０ｃが商品の種類や季節等に応じて冷却室または加熱室として適宜切り換えて使用されている。たとえば、全室を冷却する場合（以下「ＣＣＣ運転モード」と称す）、商品収納庫６０ａおよび商品収納庫６０ｂを冷却して商品収納庫６０ｃを加熱する場合（以下「ＣＣＨ運転モード」と称す）、商品収納庫６０ａを冷却して商品収納庫６０ｂおよび商品収納庫６０ｃを加熱する場合（以下「ＣＨＨ運転モード」と称す）、さらに、全商品収納庫を加熱する場合（以下「ＨＨＨ運転モード」と称す）がある。
【０００９】
（断熱壁）
そして、外箱２０の内面には断熱材３０が直接固着され、断熱材３０の内面には図示しない防水性のフィルムを貼着したり、あるいはアルミニウムのコーティングを施している。すなわち、内箱を省略しているから、構造が簡素になり、断熱壁が容易且つ安価に形成されている（例えば、特許文献１参照）。
【００１０】
【特許文献１】特開平１０−１１６３８５号公報（第２頁、図３）
【発明の開示】
【発明が解決しようとする課題】
【００１１】
しかしながら、特許文献１に開示された発明は、外箱２０を形成する板材（薄鋼板）の厚さが薄いため、容易に面外方向（外箱２０の外面方向または内面方向に同じ）に弾性変形する、いわゆる「反る」という問題があった。
特に、外箱２０の背面を形成する板材が断面弓状に弾性変形、すなわち、背面の高さ方向の略中央範囲が外面側に膨出すると、該弾性変形に引きずられて断熱材３０の内面も外面側に膨出し、これによって、背面の高さ方向の略中央範囲において、断熱材３０の内面と仕切板５０の背面側端面との間に隙間が生じていた。
このため、商品収納庫間で空気の流れ、冷却している商品収納庫への加熱空気の侵入や加熱している商品収納庫室への冷却空気の侵入が生じ、冷却効率または加熱効率が低下するという問題が生じていた。
【００１２】
本発明は上記課題を解決するためのものであり、内箱の無い簡素な構造であって、外箱を形成する板材を薄くしても、断熱材と仕切板との間に隙間が生じない自動販売機を得ることを目的とする。
【課題を解決するための手段】
【００１３】
本発明に係る自動販売機（請求項１）は、内面に沿って断熱材が配置され、一面に開口部を具備する外箱と、
該外箱を複数の商品収納庫に分割する仕切板と、
前記商品収納庫のそれぞれに対応する商品搬出口を具備し、前記開口部を開閉する断熱扉と、
前記商品収納庫のそれぞれに配置され、商品を収納して順次下方に搬出する機能を有する商品ラックと、
前記商品ラックから落下した商品を前記商品搬出口に誘導する商品誘導手段と、
該商品誘導手段の下方に配置されて空気を冷却する冷却手段または加熱する加熱手段の一方または両方を具備する熱交換手段と、
該熱交換手段を通過する空気の流れを形成する送風手段とを有し、
前記外箱の内面に板状の支持部材が設置され、該支持部材の内面が前記断熱材の外面に当接していることを特徴とする。
【００１４】
本発明に係る自動販売機（請求項２）は、前記断熱材の内面が、前記支持部材によって前記仕切板の端面に押圧されていることを特徴とする。
【発明の効果】
【００１５】
本発明の請求項１に係る自動販売機は、内箱の無い簡素な構造であって、外箱の内面に板状の支持部材が設置され、該支持部材の内面が断熱材の外面に当接しているから、外箱を薄い板材で形成した場合であっても、該板材の弾性変形に引きずられて断熱材が変形することがない。よって、断熱材と仕切板との間に隙間ができないから、冷却効率や加熱効率が低下することがない。
【００１６】
また、請求項２に係る自動販売機は、断熱材の内面が支持部材によって仕切板の端面に押圧され、断熱材は仕切板に密着するから、気密性の向上によって、冷却効率や加熱効率が向上する。
【発明を実施するための最良の形態】
【００１７】
図１〜３は本発明の自動販売機に係る実施形態を模式的に示すものであって、図１は側面視の断面図、図２は正面視の断面図、図３は平面視の断面図である。図１〜３において、自動販売機１００の外箱２０は一面（前面）に開口部を有する筐体であって、これを構成する板材を、側面板２１、背面板２２、天板２３、床板２４と称す。そして、側面板２１には側面断熱材３１が、背面板２２には背面断熱材３２が、天板２３には天断熱材３３が、床板２４には床断熱材３４が、それぞれ対峙して配置され、側面断熱材３１、背面断熱材３２、天断熱材３３、床断熱材３４の内面には、それぞれ図示しない防水処理が施されている。また、外箱２０の内部は、仕切板５０ａｂおよび仕切板５０ｂｃによって、商品収納庫６０ａ、商品収納庫６０ｂおよび商品収納庫６０ｃに仕切られている。
なお、図中、商品収納庫内に配置された各装置の記載を省略し、図２において背面断熱材３２を透視している。
【００１８】
そして、背面板２２の高さ方向および幅方向の略中央、すなわち、正面視において仕切板５０ａｂおよび仕切板５０ｂｃと重なる位置に、支持部材７２が設置され、支持部材７２が背面断熱材３２に当接している。このとき、背面板２２は外側に突出する略弓状であるため、熱伸縮しても、内側に突出したりあるいは波打ったりすることが無いから、背面断熱材３２の内面と仕切板５０ａｂ、５０ｂｃの背面側端面（図中、位置Ａから位置Ｂ範囲）との間に隙間が生じることがない。
また、背面板２２に軽度の引っ張り応力が作用する程度に弾性的に撓ませれば、背面断熱材３２の内面は支持部材７２を介して仕切板５０ａｂ、５０ｂｃの背面側端面に押し付けられるから、両者の密着性がさらに向上する。よって、各商品収納庫間の気密性、すなわち、断熱性が保証され、冷却効率や加熱効率が低下することがない。
【００１９】
なお、本発明は支持部材７２の形態を図示するものに限定するものではなく、支持部材７２を複数枚に板材に分割して、正面視において仕切板５０ａｂおよび仕切板５０ｂｃのそれぞれと重なる位置に、別個に設置してもよい。
また、仕切板５０ａｂ、５０ｂｃの背面側端面と支持部材７２の内
面、また、支持部材７２の外面と背面板２２の内面は、相互に押圧するものに限定するものではなく、接着手段を用いた接着してもよい。また、支持部材７２の材質は限定するものではない。
【００２０】
さらに、側面板２１と側面断熱材３１との間に、支持部材（支持部材７２に準じる）を配置してもよい。このとき、側面板２１の変形に左右されることなく、側面断熱材３１の内面は略平面を維持することになる。
【産業上の利用可能性】
【００２１】
本発明は以上の構成であるから、内箱を具備しない形式の各種自動販売機における、断熱材の配置形態として広く利用することができる。
【図面の簡単な説明】
【００２２】
【図１】本発明の自動販売機に係る実施形態を模式的に示す側面視の断面図。
【図２】本発明の自動販売機に係る実施形態を模式的に示す正面視の断面図。
【図３】本発明の自動販売機に係る実施形態を模式的に示す平面視の断面図。
【図４】従来の自動販売機の構成を示す正面視の断面図。
【図５】従来の自動販売機の構成を示す側面視の断面図。
【図６】従来の自動販売機の構成を示す冷却ユニットの構成図。
【符号の説明】
【００２３】
１：圧縮器、２：凝縮器、３：電磁弁、４：キャピラリチューブ、５：蒸発器、６：アキュムレータ、７：冷媒配管、８：ヒータ、９：ファン、１０：冷却ユニット、２０：外箱、２１：側面板、２２：背面板、２３：天板、２４：床板、３０：断熱材、３１：側面断熱材、３２：背面断熱材、３３：天断熱材、３４：床断熱材、４０：断熱扉、５０：仕切板、６０：商品収納庫、６１：商品収納装置、６２：シュータ、６３：商品搬送口、６４：吸気ダクト、７２：支持部材、１００：自動販売機、９００：自動販売機
【図１】
2005352605.tif 000003
【図２】
2005352605.tif 000004
【図３】
2005352605.tif 000005
【図４】
2005352605.tif 000006
【図５】
2005352605.tif 000007
【図６】
2005352605.tif 000008